(57)【特許請求の範囲】
【請求項１】
回転ラッチ（１）と、前記回転ラッチにラッチ係合するための爪部（２）と、前記回転ラッチ（１）および前記爪部（２）のそれぞれに備わり互いに当接して前記回転ラッチ（１）の回転を防止する回転防止面（４、５）とから成る把持機構を有するロックであって、
このロックは、さらに少なくとも１つの接触面（１６）を備えた構成部を有し、この構成部は、前記把持機構の前記爪部（２）が前記回転ラッチに係合していない開錠位置で前記回転ラッチ（１）の前記回転防止面（５）が前記少なくとも１つの接触面に係止し、且つ、前記把持機構の前記爪部（２）が前記回転ラッチ（１）に係合する少なくとも１つのラッチ係合位置で前記回転ラッチ（１）の径方向の外側の面（２５）が前記少なくとも１つの接触面に当接するように構成されているものであることを特徴とするロック。
【請求項２】
請求項１記載のロックにおいて、前記把持機構は、前記爪部（２）が前記回転ラッチ（１）が係合する中間施錠位置と当該中間施錠位置からさらに前記回転ラッチ（１）が回転し前記爪部（２）と係合する完全施錠位置とを有し、前記開錠位置で前記接触面に当接する前記回転ラッチの回転防止面（５）は、前記完全施錠位置においてラッチ係合するように働くものであるロック。
【請求項３】
請求項１または２に記載のロックにおいて、前記回転防止面（５）は金属からでできており、および／または前記接触面を備えた構成部はエラストマーできているものであるロック。
【請求項４】
請求項１〜３のうちのいずれか１つに記載のロックにおいて、前記接触面を備えた構成部は、前記把持機構をカバーして保護するロックハウジングの１若しくは２つの壁部（１７）および／またはウェブ（１８）によって支持されるものであるロック。
【請求項５】
請求項４に記載のロックにおいて、前記壁部（１７）および／または前記ウェブ（１８）は、プラスチックでできたロックハウジングと接合されて、一体成形されるものであるロック。
【請求項６】
請求項１〜５のうちのいずれか１つに記載のロックにおいて、前記接触面を備えた構成部はまた、前記回転ラッチで把持されるロック用ボルトおよび／または前記回転ラッチに対する減衰部材であるロック。
【請求項７】
請求項６に記載のロックにおいて、前記減衰部材である構成部は、前記接触面（１６）を有する突出延長部（１５）を含むものであるロック。
【請求項８】
請求項７に記載のロックにおいて、前記減衰部材の長いＬ脚部（１４）は保持脚であり、前記減衰部材の短いＬ脚部（１３）は前記ロック用ボルトおよび前記回転ラッチに対する減衰脚であるロック。
【請求項９】
請求項８に記載のロックにおいて、前記接触面を備えた構成部は、剛性材料で作成されたボルトが挿入される穴部（２１）を有する保持脚（１４）を含むものであるロック。
【請求項１０】
請求項１〜９のうちのいずれか１つに記載のロックにおいて、このロックは、前記回転ラッチが回転する間、当該回転ラッチの各位置において当接する線形隆起部（２６）を有するものであるロック。
【請求項１１】
請求項１０に記載のロックにおいて、前記線形隆起部（２６）は、前記接触面を備えた構成部に、または前記接触面を備えた構成部上に設けられた段部（２３）に当接するものであるロック。
【請求項１２】
請求項１〜１１のうちのいずれか１つに記載のロックを有する、自動車のドア。
【発明の詳細な説明】
【技術分野】
【０００１】
本発明は、回転ラッチと、回転ラッチとラッチ係合する爪部とを有する把持機構を備えた、ドアまたはテールゲート／ゲート用のロックに関する。かかるロックは、例えば、独国特許出願公開第１０３  ２０  ４５７  Ａ１号明細書から既知である。
【背景技術】
【０００２】
上述のロックにより、ドアまたはテールゲート／ゲートを用いて、自動車又は建物の開口部を一時的にロックすることが可能である。かかるロックの施錠状態では、回転ラッチは、特に、車両の場合には一般に車体に取り付けられている弓型形状のロック用ボルトの周りを把持する。回転ラッチがロック用ボルトによって開錠位置から旋回した後ロック位置に達したとき、当該回転ラッチは最終的に爪部によってラッチ係合される。爪部の回転防止面は、この場合、回転ラッチの回転防止面に当接し、回転ラッチが開錠位置の方向に戻るように旋回するのを防止する。ロック用ボルトは、もはや施錠位置の把持機構から逃がれることができない。施錠位置において、回転ラッチおよび爪部の金属性回転防止面は、ラッチ係合されている間互いに衝止し合っている。
【０００３】
開錠するには、爪部はそのラッチ係合位置から移動して外れる必要がある。一旦爪部がそのラッチ係合位置から移動して外れると、回転ラッチは開錠位置の方向に回転する。回転ラッチの開錠位置、すなわち把持機構の開錠位置では、ロック用ボルトは、ロックから外れることが可能である。これにより、ドアおよびテールゲートは再び開放可能となる。
【０００４】
爪部がそのラッチ係合位置から移動して外れた後の開錠位置の方向への回転ラッチの回転は、それぞれのドアもしくはテールゲートの密閉圧力によって、またはバネによって引き起こされ得る。かかる回転はまた、ロック用ボルトが把持機構から取り外されることによっても引き起こされ得る。
【０００５】
ロックは、回転ラッチの２つの異なるラッチ係合位置を含むことが可能である。回転ラッチは、当初いわゆる中間施錠位置にラッチ係合し、その後継続して旋回することにより施錠位置に、或いはいわゆる完全施錠位置に入る。中間施錠位置では、ロック用ボルトは把持機構から外れることができない、しかしながら、それぞれのドアまたはテールゲート／ゲートは完全に施錠されてはいない。回転ラッチが完全施錠位置まで回転し、かつこの位置でラッチ係合されたときにのみ、かかるドアまたはテールゲート／ゲートは完全に施錠される。
【０００６】
回転ラッチおよび爪部は、一般にロックケースの基部に回転自在に搭載される。ロックケースは、安定した固定を確実にするために、通常、金属で作製される。加えて、装置は一般に、他の要素の中でも、また重量の関係で、汚れおよび湿気から保護するロックハウジングカバーを含む既存のロックハウジングを含む。ロックハウジングおよびロックケースは、ロック用ボルトを把持機構内に、または回転ラッチの切込みスロット内に入れるための切込み部を形成する。
【０００７】
上記の特性は、何か他のものが明示的に開示されない限り、本発明のロックの個別の部品、または任意の組み合わせ部品とすることが可能である。
【発明の概要】
【発明が解決しようとする課題】
【０００８】
２つの回転防止面が、ラッチを掛けるために相互に向かって押し付けられ、かつダストが表面上に積もると、把持機構を開錠するために要する力は、使用年数の増加とともに増加する可能性がある。相互に向かって押し付ける回転防止面上に入り込んで積もるダストによって発生する可能性がある開錠力を低減するために、回転ラッチおよび爪部のかかる回転防止面は金属で作成される。したがって、通常使用されるプラスチックコーティングは、もはや必要とされない。しかしながら、かかる金属表面が使用される場合も、ダスト粒子は開錠力の前記増加を生じる可能性があり、更なる対処が必要である。
【０００９】
開錠力の増加を防止するロックを提供することが本発明の課題である。  
【課題を解決するための手段】
【００１０】
この課題を解決するために、ロックは、請求項１に記載の特徴を含む。有利な実施形態が、従属請求項に示される。
【００１１】
この課題を解決するために、本発明は、回転ラッチおよび回転ラッチを掛けるための爪部を具備する把持機構を備えるロックを提供する。回転ラッチおよび爪部は、ラッチを掛けるために回転防止面を含む。ラッチを掛けた状態では、回転ラッチの回転防止面は爪部の回転防止面上に当接し、回転ラッチが開錠位置の方向に回転する可能性を防止する。ロックは、開錠位置および／またはラッチ係合位置のうち少なくとも１つで、回転ラッチの回転防止面がそれに向かって突き当たる少なくとも１つの接触面を備える接触面を備えた構成部品も具備する。回転ラッチが、そのラッチ係合位置で、構成部品の接触面のうちの１つに向かって突き当たるとき、これは特に形状、すなわち負荷アームの側面に起因する。突き当たる手段、この場合回転ラッチの表面は、接触面に直接対向して配設され、両方の表面は、小さい間隙によってのみ分離される。好適には、この間隙は、幅０．５ｍｍ以下で、特に好適には幅が０．２ｍｍ以下で、さらにより好適には、幅が０．１ｍｍ以下である。ラッチを掛けた状態で、間隙がより狭いほど、不利にもロックに入り込むことができるダストがより少なくなる。小さい間隙を維持することによって、把持機構の作動をより困難にする可能性がある摩擦力が避けられる。好適には、回転ラッチの表面は、完全施錠位置および中間施錠位置で、構成部品の１つの接触面に向かって突き当たる。すべての把持機構のラッチ係合位置で、ロックでのダストの侵入は減少する。把持機構の開錠位置で、回転ラッチの回転防止面が構成部品の接触面に向かって当接する場合、回転ラッチの表面は、構成部品の接触面に接触する。次いで構成部品の接触面に向かって当接する回転ラッチの表面は、具体的には、回転ラッチの回転防止面である。まず最初に、この配設は、開錠位置で、より大きい開錠力をもたらす可能性があるいかなるダストが回転ラッチの回転防止面の上に積もるのも防止する。この配設は、開錠位置で、いかなるダストが把持機構に入り込むのも防止する。これは、開錠力の増加の防止に貢献する。
【００１２】
把持機構が、中間施錠位置および完全施錠位置を包含する場合、その開錠位置では、回転ラッチの回転防止面は、完全施錠位置でラッチを掛けるのに使用される接触面に向かって当接する。特に、ダストの堆積の場合、完全施錠位置に対する回転ラッチの回転防止面は、開錠力の増加を生じるので、回転ラッチのこの回転防止面は、ダストに対して有利にも保護される。
【００１３】
開錠位置で、接触面に向かって当接する回転ラッチの回転防止面は、一実施形態では、金属で作成される。好適には、接触面を備えた構成部品は、エラストマーで作製される。接触面を備えた構成部品がエラストマーで作成される場合、把持機構の開錠状態で、有利な特に緊密な接続が回転ラッチの回転防止面と接触面との間に作り出される。特に、これは、開錠力の増加を生じる可能性があるいかなるダストの侵入も効果的に防止する。
【００１４】
一実施形態では、接触面を備えた構成部品は、接触面に突き当たる、または接触面に対向して配設される２つの壁部のうちの１つによって側方で支持される。壁部は、接触面を備えた構成部品の安定した位置付けに貢献する。したがって、接触面を備えた構成部品のダスト防止効果は、さらに改善される。
【００１５】
構成部品の数を最小限にするために、前記２つの壁部のうちの１つは、好適には一体部品で作成され、かつ好適にはプラスチック製のロックハウジングで接続される。
【００１６】
好適な実施形態では、接触面を備えた構成部品は、同時に、ロック用ボルトおよび／または回転ラッチのための減衰部材である。減衰部材の実施形態および利点は、独国特許出願公開第１０３  ２０  ４５７  Ａ１号明細書に開示される。接触面を備えた構成部品がロック用ボルトおよび／または回転ラッチに対する減衰部材でもあるとき、この実施形態の既知の利点も、独国特許出願公開第１０３  ２０  ４５７  Ａ１号明細書に開示される様式で、このロックにより達成することができる。独国特許出願公開第１０３  ２０  ４５７  Ａ１号明細書のそれぞれの開示内容を、本発明に包含する。
【００１７】
好適には、減衰部材は、装填溝に対するＬ字型の挿入部材独国特許出願公開第１０３  ２０  ４５７  Ａ１号明細書として設計される。加えて、減衰部材の一実施形態は、接触面を包含する突出した伸張部分を含む。一体成形体設計は、構成部品の数を最小限に保つ。
【００１８】
具体的には、独国特許出願公開第１０３  ２０  ４５７  Ａ１号明細書に開示される様式で、および開示される理由のために、減衰部材の長いＬ脚部は、保持脚として設計され、減衰部材の短いＬ脚部減衰部材は、ロック用ボルトおよび回転ラッチに対する減衰脚として設計される。
【００１９】
好適には、独国特許出願公開第１０３  ２０  ４５７Ａ１号明細書に開示される様式で、および開示される理由のために、保持脚は、装填溝内への横断方向の滑動を容易にする凹部を含む。具体的には、独国特許出願公開第１０３  ２０  ４５７  Ａ１号明細書に開示される様式で、および開示される理由のために、減衰脚は、内側にロック用ボルト停止面、および外側に回転ラッチ停止面を含む。好適には、独国特許出願公開第１０３  ２０  ４５７  Ａ１号明細書に開示される様式で、および開示される理由のために、切込み部および装填溝は、本質的に平行に、かつ相互に配設される。一実施形態では、独国特許出願公開第１０３  ２０  ４５７  Ａ１号明細書に開示される様式で、および開示される理由のために、切込み部および装填溝は、ロックハウジングに対する切込み挿入部材をともに形成する。好適には、独国特許出願公開第１０３  ２０  ４５７  Ａ１号明細書に開示される様式で、および開示される理由のために、減衰脚は、少なくとも部分的に切込み挿入部材から突出する。具体的には、独国特許出願公開第１０３  ２０  ４５７  Ａ１号明細書に開示される様式で、および開示される理由のために、減衰部材は、例えば、緊急ロッキング工具を挿入するための一時的に閉鎖したカバーを含む。
【００２０】
本発明の一実施形態は、回転ラッチがその上に当接する線形の起部を含む。特に、回転ラッチは、すべての位置で、前記線形隆起部の上に当接する。線形の起部は、好適には、減衰部材または接触面を備えた構成部品の、段階または突出部から開始し、具体的には、当初はロックの切込み部に平行に延在する。切込み部の内側の基部上では、一実施形態では、弓型形状の隆起部は、切込み部から出発して、当初はこの内部端部、またはこの切込み部の基部の周辺を弓型形状に延在する。線形隆起部は、ダストがロックに入るのを防止するためにさらに貢献する。線形隆起部は、具体的には、ロックハウジングの壁部の一部である。
【００２１】
本発明は、以下に図を参照して詳細に説明される。
【図面の簡単な説明】
【００２２】
【図１】図１は、回転自在に搭載された回転ラッチを有する、ラッチ係合把持機構を示す。
【図２】図２は、開錠位置の把持機構を示すものである。
【図３】図３は、減衰部材を示すものである。
【発明を実施するための形態】
【００２３】
図１は、回転自在に取り付けられる回転ラッチ１および回転自在に取り付けられる爪部２を備える把持機構を示す。図１では、把持機構は中間施錠位置にある。回転ラッチ１の金属の回転防止面３は、爪部２の金属の回転防止面４に対して押し付けられる。したがって、回転ラッチ１は、開錠位置で、反時計方向に回転することができない。
【００２４】
回転ラッチ１は、完全施錠位置で、爪部２の回転防止面４に対して押し付けられる、さらなる金属の回転防止面５を含む。図１に示す回転ラッチ１が時計方向にさらに回転すると、把持機構は最終的にこの完全施錠位置になるものと予想される。弾性材料から作成されるリングによって形成される停止部材６は、回転ラッチ１の、時計方向に加えて、図２に示すように反時計方向の回転運動を制限する。
【００２５】
プラスチックのロックハウジングの壁部７は、図１に示される回転ラッチ１の下方に位置付けられる。このプラスチックの壁部７の下方に、回転自在な取り付けを提供するために、金属の、具体的にはＵ字型の、回転ラッチおよび爪部の穴部８および９通って延在する軸を保持する、強化プレートが提供される。総じて、強化プレートは、ロックの切込み部の周りにＵ字型で延在する。Ｕ字の２つの脚部は、２つの前記軸を収容する穴部を含む。把持機構の図を遮らないように、ロックケースの金属の側壁１０のみが示される。したがって、図１の金属のロックケースの基部は、回転ラッチ１の上方および爪部２の上方に位置付けられる。側壁１０は、ロックケースの基部に対して直角に形成される。ロックハウジングの側方タブ１１は、ロックケース側壁１０の凹部に係合し、ロックハウジング壁部７をロックケースに固定する機能を果たす。ロックハウジング壁部７は、ロックハウジングの垂直壁１２との一体部分を形成する。ロックハウジング壁部７から２つの壁部１２への移行は、各々の場合、直角に形成される。ロックプレートの近接領域を含めて、壁部１２はロック用ボルトのために切込み部を形成する。切込み部は、一方の側をロックハウジングの壁部によって覆うこともできる。壁部１２は、内側がそれぞれに向かって漏斗状の形状であり、最終的に、エラストマーで作製される、回転ラッチの下方の平面上に位置付けられる、概してＬ字型の減衰部材の短い脚部１３に向かって突き当たる。短い脚部１３は、２つの壁領域１２によって形成される漏斗状部の基部を打つロック用ボルトをダンピングすることができる。短い脚部１３は、したがって、減衰脚とも称される。
【００２６】
突出部(突出延長部）１５とは別に、好適には、Ｌ字型の減衰部材が配設され、独国特許出願公開第１０３２０４５７Ａ１号明細書に開示されるのと同一の様式で動作する。
【００２７】
減衰部材は、固定用脚部とも称される長い脚部１４を含み、その端部では、突出部１５は図１で上向きに延在するように配設される。突出部１５は、回転ラッチ１の主たる回転防止面５に対する、把持機構の開錠位置での接触面１６、および接触面２４を備える、構成部品を構成する。回転ラッチ１の負荷アームの少なくとも側方曲線部２５は、完全施錠位置で接触面２４に突き当たる。減衰部材は、一体成形体であり、エラストマーから作製される突出部１５を包含する。突出部１５の２つの壁領域は、ロックハウジングの壁領域１７に加えて、ロックハウジングのウェブ１８によって支持される。支持壁領域１７は、ロックケース表面７から見ると垂直上向きに延在する。ウェブ１８は、同一の様式で、これも垂直上向きに延在する側壁を包含する。ウェブ１８のかかる側壁は、垂直上向きに延在し、前記側壁に向かって突き当たる突出部１５を支持する。
【００２８】
ロックハウジング壁部７は、当初は切込み部の側方の境界と平行に延び、この場合、ほとんど直線状の線形隆起部２６を含む。具体的には、線形隆起部の一端は、減衰部材の持ち上がった領域に向かって、特に図３に示す減衰部材の段部２３に当接し、または接触面を備えた構成部品の突出部１５に直接向かう。切込み部の内側の端部上で、線形隆起部２６は切込み部から離れ、停止部材６の方向に弓型形状で延びる。その回転移動の間、回転ラッチ１は常に線形隆起部２６の上、したがって任意の位置に当接する。概して、線形隆起部は、ロックの内側に入る可能性のあるダストをより少なくするように貢献する。
【００２９】
それぞれの線形隆起部２７が、爪部２のために提供される。爪部２は、この線形隆起部２７上に、それぞれの位置で当接する。ここでも、これは、ロックの重要な部分に入るダストの量を低減する。
【００３０】
図２は、開錠位置にある把持機構を示す。回転ラッチ１の回転防止面５は、突出部１５の接触面１６に向かって上述の様式で当接し、ダストの侵入を防止する。円形の停止部材６は、回転ラッチ１の、反時計方向の回転移動も制限する。回転防止面４を包囲する爪部２のアームは、回転ラッチ１の側方の曲線部に向かって、前記ラッチを掛けることなく当接する。概して、接触面６は、回転ラッチ１の回転移動を、解錠方向に、すなわち図２で反時計方向に制限するために十分である。したがって、停止部材６は、移動を制限するために必要とは限らない。
【００３１】
図３は、短い脚部１３、長い脚部１４、および長い脚部１４の一端から突出する突出部１５を備える一体成形体減衰部材の好適な実施形態を示す。
【００３２】
短い脚部１３は、好適には凹部１９を含み、側面２０を打つロック用ボルトの改善されたダンピングを提供する。長い脚部１４は、好適には、穴部２１の内径に対応し、好適にはわずかにより大きい外径を備える、ボルト（図示せず）がその中に挿入される、穴部２１を含む。ボルトは、相当する非弾性材料、特に硬質プラスチック材料で作成される。これは、減衰部材が、好適にはボルトがその中クリップ留めされる、それぞれの凹部内へ挿入されるとき、減衰部材の安定性を改善する。凹部は、ロックハウジングによって形成することができ、または一体成形体を形成するように接続することができる。好適には、凹部は、結果として安定化される切込み部の壁部１２によって部分的に形成される。選択的に提供された減衰部材のリブ付きの側面は、前記凹部の挿入を容易にする。好適には、突出部１５を備える（上）面と対面する（下）面は、減衰部材の前記凹部内への挿入を制限し、ひいては正しい挿入を確実にする側方に突出する面２２を含む。前記凹部は、挿入されたとき、減衰部材の凹部内への保持を改善するために、突出部１５を備える（上）面と対面する（下）面に向かって突き当たる突出するタブを包含することができる。タブは、好適には、一体成形体を形成するようにロックハウジングにも接続される。（上）面上に選択的に提供された段部２３は、突き当たる突出部１５の安定性をさらに改善するために、この目的で提供されたスロット内に凹部内で挿入することができる。
【符号の説明】
【００３３】
１...回転ラッチ
２...爪部
３...中間施錠位置に対する回転防止面
４...爪部の回転防止面
５...完全施錠位置に対する金属の回転防止面
６...停止部材
７...ロックハウジング壁部
８...回転ラッチの穴部
９...爪部の穴部
１０...ロックケースの金属の側壁
１１...ロックハウジングの側方タブ
１２...ロックハウジングの壁部
１３...短い減衰脚
１４...長い保持脚
１５...突出部(突出延長部）
１６...構成部品の接触面
１７...ロックハウジングの壁領域
１８...ロックハウジングのウェブ
１９...減衰脚の凹部
２０...減衰脚の側面
２１...保持脚の穴部
２２...側方に突出した減衰部材の面
２３...減衰部材の段部
２４...接触面
２５...側方曲線部
２６...回転ラッチに対する線形隆起部
２７...爪部に対する線形隆起部
【図１】
0006000282.tif 000002
【図２】
0006000282.tif 000003
【図３】
0006000282.tif 000004